(57)【要約】【課題】保持枠の周囲面に鍔状に張り出したシール部を設けなくても、ダストサイドとクリーンサイドとをシールすることができるフィルタエレメントを提供する。【解決手段】フィルタエレメント３は、濾材４と前記濾材４を保持する保持枠５とを備える。空気が前記濾材４を通過する方向▲１▼における保持枠５の端面５ａには、保持枠５の周囲方向に延びる溝又は凸条からなる保持枠シール部８が設けられている。このため、保持枠５の周囲面に鍔状に張り出したシール部を設けなくても、ダストサイドとクリーンサイドとをシールすることができる。【選択図】　　　図１
2004003418.tif 000002
【特許請求の範囲】
【請求項１】
流体の流入口及び流出口を有するケース内に収容されるフィルタエレメントであって、
濾材と前記濾材を保持する保持枠とを備え、
流体が前記濾材を通過する方向における前記保持枠の端面には、前記保持枠の周囲方向に延びる溝又は凸条からなる保持枠シール部が設けられ、
前記保持枠シール部が、前記ケースに設けられた溝又は凸条からなるケースシール部に嵌合することによって、前記ケースの内部がダストサイドとクリーンサイドとにシールされることを特徴とするフィルタエレメント。
【請求項２】
流体の流入口及び流出口を有すると共に、内部を流入口側と流出口側とに区画する隔壁部が形成されるケース本体、及びケース本体を覆うカバーで構成されるケース内に収容されるフィルタエレメントであって、
濾材と前記濾材を保持する保持枠とを備え、
前記保持枠には、前記濾材を前記流入口側の領域と前記流出口側の領域とに区画する仕切り板が設けられ、
流体が前記濾材を通過する方向における前記仕切り板の端面には、前記仕切り板に沿って延びる溝又は凸条からなる仕切り板シール部が設けられ、
前記仕切り板シール部が、前記ケース本体の前記隔壁部に設けられた溝又は凸条からなるケースシール部に嵌合することによって、前記ケース本体の内部が前記流入口側と前記流出口側とにシールされることを特徴とするフィルタエレメント。
【請求項３】
流体の流入口及び流出口を有するケース内に収容されるフィルタエレメントであって、
ジグザグに折り曲げられた濾材と、前記濾材を保持する略矩形状の保持枠とを備え、
前記保持枠の周囲面のうち、前記濾材の折り目の長手方向と実質的に平行な前記保持枠の端面には、前記保持枠の周囲方向に延びる一条又は二条の溝が形成され、
前記端面からの前記溝の深さは、前記端面から前記濾材の端部までの距離よりも深く、
前記保持枠の前記溝を構成する壁部が、前記ケースに設けられたリブによって挟まれることによって、前記ケースの内部がダストサイドとクリーンサイドとにシールされることを特徴とするフィルタエレメント。
【請求項４】
濾材と、前記濾材を保持する保持枠とを有するフィルタエレメントと、
流体の流入口及び流出口を有し、前記フィルタエレメントによってその内部がダストサイドとクリーンサイドとにシールされるケースとを備えるフィルタであって、
流体が前記濾材を通過する方向における前記保持枠の端面には、前記保持枠の周囲方向に延びる溝又は凸条からなる保持枠シール部が設けられ、
前記ケースには、前記保持枠シール部に嵌合し、溝又は凸条からなるケースシール部が設けられることを特徴とするフィルタ。
【請求項５】
濾材と、前記濾材を保持する略矩形状の保持枠とを有するフィルタエレメントと、
流体の流入口及び流出口を有し、前記フィルタエレメントによってその内部がダストサイドとクリーンサイドとにシールされるケースとを備えるフィルタであって、
前記保持枠の周囲面には、保持枠の周囲方向に延びる一条又は二条の溝が形成され、
前記ケースには、前記保持枠の前記溝を構成する壁部を挟むためのリブが設けられることを特徴とするフィルタ。
【請求項６】
流体の流入口及び流出口を有すると共に、内部を流入口側と流出口側とに区画する隔壁部が形成されるケース本体と、
濾材と、前記濾材を保持する保持枠とを有し、前記保持枠に設けられた仕切り板によって、前記濾材が流入口側と流出口側の２つの領域に区画されるフィルタエレメントと、
前記ケース本体を覆うカバーと、を備え、
流体が前記濾材を通過する方向における前記仕切り板の端面には、前記仕切り板に沿って延びる溝又は凸条からなる仕切り板シール部が設けられ、
前記ケース本体の前記隔壁部には、前記ケース本体の内部を前記流入口側と前記流出口側とにシールできるように、前記仕切り板シール部に嵌合し、溝又は凸条からなるケースシール部が設けられ、
前記流入口から流入する流体は、前記流入口側の領域の濾材を通過した後、前記流出口側の領域の濾材を通過し、前記流出口から流出できることを特徴とするフィルタ。
【請求項７】
流体の流入口及び流出口を有すると共に、内部を流入口側と流出口側とに区画する隔壁部が形成されるケース本体と、
前記ケース本体を覆うカバーと、
濾材と、前記濾材を保持する保持枠とを有し、流体が前記濾材を通過する方向における前記保持枠の端面に、前記保持枠の周囲方向に延びる溝又は凸条からなる保持枠シール部が設けられる一対のフィルタエレメントと、を備え、
前記一対のフィルタエレメントは前記ケース本体の流入口側及び流出口側に並列に配列され、
前記ケース本体の前記隔壁部には、前記ケース本体の内部を前記流入口側と前記流出口側とにシールできるように、前記保持枠シール部に嵌合し、溝又は凸条からなるケースシール部が設けられ、
前記流入口から流入する流体は、前記流入口側のフィルタエレメントを通過した後、前記流出口側のフィルタエレメントを通過し、前記流出口から流出できることを特徴とするフィルタ。
【請求項８】
前記フィルタエレメントの濾材は、ジグザグに折り曲げられると共に、流体が流れる方向に沿った断面において、流体が流れる方向の上流側の折り目を結んだ線、及び下流側の折り目を結んだ線が実質的に円弧形状に形成されることを特徴とする請求項６に記載のフィルタ。
【請求項９】
前記一対のフィルタエレメントそれぞれの濾材は、ジグザグに折り曲げられると共に、それぞれの全体形状は略平板状に形成され、
前記ケース本体の流入口側及び流出口側に並列に配列された一対のフィルタエレメントの一方は、実質的に同一平面上に位置しないように他方に対して傾けられていることを特徴とする請求項８に記載のフィルタ。
【請求項１０】
濾材と、前記濾材を保持する保持枠とを有する複数のフィルタエレメントと、
流体の流入口及び流出口を有し、前記複数のフィルタエレメントによってその内部がダストサイドとクリーンサイドとにシールされるケースとを備えるフィルタであって、
前記複数のフィルタエレメントそれぞれの、流体が前記濾材を通過する方向における前記保持枠の端面には、前記保持枠の周囲方向に延びる溝又は凸条からなる保持枠シール部が設けられ、
前記複数のフィルタエレメントは、前記保持枠シール部が互いに嵌合するように重ね合わされることを特徴とするフィルタ。
【発明の詳細な説明】
【０００１】
【発明の属する技術分野】
本発明は、内燃機関の燃焼用空気等を清浄するフィルタエレメント及びフィルタに関する。
【０００２】
【従来の技術】
内燃機関の燃焼用空気を清浄するフィルタエレメントとして、濾材と濾材を保持する保持枠とを備えたフィルタエレメントが知られている。本出願人は、図２３に示すように、ダストサイドとクリーンサイドとをシールするためのパッキン１を保持枠２の周囲に射出成型して、保持枠２と一体にパッキン１を設けたフィルタエレメントを提案している（特開平１０−２６３３４８号公報参照）。
【０００３】
このフィルタエレメントによれば、保持枠２と一体にパッキン１を設けることで、パッキン１の嵌め合わせ作業及び部品点数を削減することができ、フィルタエレメントを容易に製造することができる。
【０００４】
【発明が解決しようとする課題】
しかしながら、上記フィルタエレメントにあっては、ダストサイドとクリーンサイドとをシールするシール部すなわちパッキン１が、保持枠２の周囲面から外側に鍔状に張り出してしまう。
【０００５】
本発明は上記フィルタエレメントを改良するもので、保持枠の周囲面に鍔状に張り出したシール部を設けなくても、ダストサイドとクリーンサイドとをシールすることができるフィルタエレメント及びフィルタを提供することを目的とする。
【０００６】
【課題を解決するための手段】
以下、本発明について説明する。なお、本発明の理解を容易にするために添付図面の参照符号を括弧書きにて付記するが、それにより本発明が図示の形態に限定されるものではない。
【０００７】
本発明は、流体の流入口（１１）及び流出口（１２）を有するケース（６）内に収容されるフィルタエレメント（３）であって、濾材（４）と前記濾材（４）を保持する保持枠（５）とを備え、流体が前記濾材（４）を通過する方向（▲１▼）における前記保持枠（５）の端面（５ａ）には、前記保持枠（５）の周囲方向に延びる溝又は凸条からなる保持枠シール部（８）が設けられ、前記保持枠シール部（８）が、前記ケースに設けられた溝又は凸条からなるケースシール部に嵌合することによって、前記ケースの内部がダストサイドとクリーンサイドとにシールされることを特徴とするフィルタエレメント（３）により上述した課題を解決する。
【０００８】
この発明によれば、保持枠の周囲面に鍔状に張り出したシール部を設けなくても、流体が濾材を通過する方向における保持枠の端面に保持枠シール部を設けることによって、ダストサイドとクリーンサイドとをシールすることができる。また保持枠シール部は溝又は凸条からなるので、シール性能を向上させることができると共にフィルタエレメントが収容されるケースに対してフィルタエレメントを位置決めすることができる。またケース外部から水などの液体がケースとフィルタエレメントとの接合面を浸透するのを防ぐことができる。
【０００９】
さらに保持枠の周囲から外側に鍔状のシール部が張り出すことがないので、流体が通過する方向からみたフィルタエレメントの投影面積を小さくすることができる。このため、例えば集塵量を上げるためにフィルタエレメントにエレメントオイル（ビスカスオイル）や撥油剤、撥水剤などを塗布する場合、フィルタエレメントの保持枠に付着するエレメントオイル等の量を減らすことができる。樹脂材料やゴムからなる保持枠はオイルが付着すると、膨潤により寸法変化を起こすが、フィルタエレメントの投影面積を小さくすることで、膨潤による寸法変化を低減することができる。
【００１０】
また本発明は、流体の流入口（１１）及び流出口（１２）を有すると共に、内部を流入口側と流出口側とに区画する隔壁部（３１）が形成されるケース本体（６ａ）、及びケース本体（６ａ）を覆うカバー（６ｂ）で構成されるケース（６）内に収容されるフィルタエレメント（３）であって、濾材（４）と前記濾材（４）を保持する保持枠（５）とを備え、前記保持枠（５）には、前記濾材（４）を前記流入口（１１）側の領域と前記流出口（１２）側の領域とに区画する仕切り板（７）が設けられ、流体が前記濾材（４）を通過する方向（▲１▼）における前記仕切り板（７）の端面（７ａ）には、前記仕切り板（７）に沿って延びる溝又は凸条からなる仕切り板シール部（７ｂ）が設けられ、前記仕切り板シール部（７ｂ）が、前記ケース本体（６ａ）の前記隔壁部（３１）に設けられた溝又は凸条からなるケースシール部（３１ａ）に嵌合することによって、前記ケース本体（６ａ）の内部が前記流入口（１１）側と前記流出口（１２）側とにシールされることを特徴とするフィルタエレメント（３）により、上述した課題を解決する。
【００１１】
この発明によれば、流体が濾材を通過する方向における仕切り板の端面に仕切り板シール部を設けることによって、ケース本体の内部を流入口側と流出口側とにシールできるので、例えば仕切り板で複数に区画された濾材の領域毎に、順次流体を通過させることもできる。このため、フィルタの使用方法の幅が広がり、例えば流入口側の領域の濾材と流出口側の領域の濾材とで異種の濾材を組み合わせて、ダスト、カーボン等の複数の捕捉対象を捕捉することや、単一種の濾材を組み合わせて濾過性能を向上させることができる。
【００１２】
また本発明は、流体の流入口（１１）及び流出口（１２）を有するケース（６）内に収容されるフィルタエレメントであって、ジグザグに折り曲げられた濾材（４）と、前記濾材（４）を保持する略矩形状の保持枠（５）とを備え、前記保持枠（５）の周囲面のうち、前記濾材（４）の折り目（４ａ）の長手方向と実質的に平行な前記保持枠（５）の端面（５ｅ）には、前記保持枠（５）の周囲方向に延びる一条又は二条の溝（２１）が形成され、前記端面（５ｅ）からの前記溝（２１）の深さ（ｈ１）は、前記端面（５ｅ）から前記濾材（４）の端部（４ｂ）までの距離よりも深く、前記保持枠（５）の前記溝（２１）を構成する壁部（２３）が、前記ケース（６）に設けられたリブ（２２，２２）によって挟まれることによって、前記ケース（６）の内部がダストサイドとクリーンサイドとにシールされることを特徴とするフィルタエレメント（３）により、上述した課題を解決する。
【００１３】
この発明によれば、ケースに設けたリブによって保持枠の外周面の溝を構成する壁部を挟むことで、保持枠の周囲面に鍔状に張り出したシール部を設けなくても、ダストサイドとクリーンサイドとをシールすることができる。また、端面からの溝の深さは、前記濾材の端部から端面までの距離よりも深いので、ケースに設けたリブで溝を構成する壁部を挟むとき、濾材の端部をも挟むことができる。このため、保持枠から濾材が抜けるのを防止でき、しかも保持枠に保持された濾材を安定させることができる。
【００１４】
また本発明は、濾材（４）と、前記濾材（４）を保持する保持枠（５）とを有するフィルタエレメント（３）と、流体の流入口（１１）及び流出口（１２）を有し、前記フィルタエレメント（３）によってその内部がダストサイドとクリーンサイドとにシールされるケース（６）とを備えるフィルタであって、流体が前記濾材（４）を通過する方向（▲１▼）における前記保持枠（５）の端面（５ａ）には、前記保持枠（５）の周囲方向に延びる溝又は凸条からなる保持枠シール部（８）が設けられ、前記ケース（６）には、前記保持枠シール部（８）に嵌合し、溝又は凸条からなるケースシール部（１４）が設けられることを特徴とするフィルタ（９）としても構成することができる。
【００１５】
この発明によれば、保持枠の周囲面に鍔状に張り出したシール部を設けなくても、流体が濾材を通過する方向における保持枠の端面に保持枠シール部を設けることによって、ダストサイドとクリーンサイドとをシールすることができる。
【００１６】
さらに本発明は、濾材（４）と、前記濾材（４）を保持する略矩形状の保持枠（５）とを有するフィルタエレメント（３）と、流体の流入口（１１）及び流出口（１２）を有し、前記フィルタエレメント（３）によってその内部がダストサイドとクリーンサイドとに区画されるケース（６）とを備えるフィルタであって、前記保持枠（５）の周囲面には、保持枠（５）の周囲方向に延びる一条又は二条の溝（２１）が形成され、前記ケース（６）には、前記保持枠（５）の前記溝（２１）を構成する壁部（２３）を挟むためのリブ（２２，２２）が設けられることを特徴とするフィルタ（７１，７２，７３）としても構成することができる。
【００１７】
この発明によれば、ケースに設けたリブによって保持枠の外周面の溝を構成する壁部を挟むことで、保持枠の周囲面に鍔状に張り出したシール部を設けなくても、ダストサイドとクリーンサイドとをシールすることができる。また、フィルタエレメントの保持枠が柔らかい材料からなる場合、シールするために保持枠全体に圧縮応力を加えると、保持枠が変形したり潰れたりするおそれがある。この発明によれば、保持枠の周囲面に溝を形成し、ケースに設けたリブで保持枠の溝を構成する壁部にのみ圧縮応力を加えることで、保持枠に圧縮応力が加わる部分を短くすることができ、この結果保持枠が潰れたり変形したりするのを防止することができる。
【００１８】
さらに本発明は、流体の流入口（１１）及び流出口（１２）を有すると共に、内部を流入口（１１）側と流出口（１２）側とに区画する隔壁部（３１）が形成されるケース本体（６ａ）と、濾材（４）と、前記濾材（４）を保持する保持枠（５）とを有し、前記保持枠（５）に設けられた仕切り板（７）によって、前記濾材（４）が流入口（１１）側と流出口（１２）側の２つの領域に区画されるフィルタエレメント（３）と、前記ケース本体（６ａ）を覆うカバー（６ｂ）と、を備え、流体が前記濾材（４）を通過する方向における前記仕切り板（７）の端面（７ａ）には、前記仕切り板（７）に沿って延びる溝又は凸条からなる仕切り板シール部（７ｂ）が設けられ、前記ケース本体（６ａ）の前記隔壁部（３１）には、前記ケース本体（６ａ）の内部を前記流入口（１１）側と前記流出口（１２）側とにシールできるように、前記仕切り板シール部（７ｂ）に嵌合し、溝又は凸条からなるケースシール部（３１ａ）が設けられ、前記流入口（１１）から流入する流体は、前記流入口（１１）側の領域の濾材（４）を通過した後、前記流出口（１２）側の領域の濾材（４）を通過し、前記流出口（１２）から流出できることを特徴とするフィルタ（６１，６２，６３）としても構成することができる。
【００１９】
この発明によれば、流体が濾材を通過する方向における仕切り板の端面に仕切り板シール部を設けることによって、ケース本体の内部を流入口側と流出口側とにシールできるので、例えば仕切り板で複数に区画された濾材の領域毎に、順次流体を通過させることもできる。このため、フィルタの使用方法の幅が広がり、例えば流入口側の領域の濾材と流出口側の領域の濾材とで異種の濾材を組み合わせて、ダスト、カーボン等の複数の捕捉対象を捕捉することや、単一種の濾材を組み合わせて濾過性能を向上させることができる。
【００２０】
さらに本発明は、流体の流入口（１１）及び流出口（１２）を有すると共に、内部を流入口（１１）側と流出口（１２）側とに区画する隔壁部（３１）が形成されるケース本体（６ａ）と、前記ケース本体（６ａ）を覆うカバー（６ｂ）と、濾材（４）と、前記濾材（４）を保持する保持枠（５）とを有し、流体が前記濾材（４）を通過する方向における前記保持枠（５）の端面に、前記保持枠（５）の周囲方向に延びる溝又は凸条からなる保持枠シール部（８）が設けられる一対のフィルタエレメント（３，３）と、を備え、前記一対のフィルタエレメント（３，３）は前記ケース本体（６ａ）の流入口（１１）側及び流出口（１２）側に並列に配列され、前記ケース本体（６ａ）の前記隔壁部（３１）には、前記流入口（１１）側と前記流出口（１２）側とをシールできるように、前記保持枠シール部（８）に嵌合し、溝又は凸条からなるケースシール部（３１ａ，３１ａ）が設けられ、前記流入口（１１）から流入する流体は、前記流入口（１１）側のフィルタエレメント（３）を通過した後、前記流出口（１２）側のフィルタエレメント（３）を通過し、前記流出口（１２）から流出できることを特徴とするフィルタ（６４）としても構成することができる。
【００２１】
この発明によれば、流体が濾材を通過する方向における保持枠に保持枠シール部を設けることによって、ケース本体の内部を流入口側と流出口側とにシールできるので、一対のフィルタエレメント毎に順次流体を通過させることができる。このため、フィルタの使用方法の幅が広がり、例えば流入口側のフィルタエレメントと流出口側のフィルタエレメントとで異種の濾材を組み合わせて、ダスト、カーボン等の複数の捕捉対象を捕捉することや、単一種の濾材を組み合わせて濾過性能を向上させることができる。
【００２２】
前記フィルタエレメント（３）の濾材は、ジグザグに折り曲げられると共に、流体が流れる方向に沿った断面において、流体が流れる方向の上流側の折り目（４ｃ）を結んだ線（５１）、及び下流側の折り目（４ｄ）を結んだ線（５２）が実質的に円弧形状に形成されてもよい。
【００２３】
このように、フィルタエレメントの濾材の形状として、半菊花形状を用いても良い。この形状の濾材を用いれば、濾過面積の減少による圧力損失の増加を抑制することができる。
【００２４】
前記一対のフィルタエレメント（３，３）それぞれの濾材（４）は、ジグザグに折り曲げられると共に、それぞれの全体形状は略平板状に形成され、前記ケース本体（６ａ）の流入口（１１）側及び流出口（１２）側に並列に配列された一対のフィルタエレメント（３，３）の一方は、実質的に同一平面上に位置しないように他方に対して傾けられていてもよい。
【００２５】
この発明によれば、濾過面積の減少による圧力損失の増加を抑制することができる。
【００２６】
さらに本発明は、濾材（４）と、前記濾材（４）を保持する保持枠（５）とを有する複数のフィルタエレメント（３…）と、流体の流入口（１１）及び流出口（１２）を有し、前記複数のフィルタエレメント（３…）によってその内部がダストサイドとクリーンサイドとにシールされるケース（６）とを備えるフィルタ（６４）であって、前記複数のフィルタエレメント（３…）それぞれの、流体が前記濾材（４）を通過する方向における前記保持枠（５）の端面には、前記保持枠（５）の周囲方向に延びる溝又は凸条からなる保持枠シール部（８）が設けられ、前記複数のフィルタエレメント（３…）は、保持枠シール部（８）が互いに嵌合するように重ね合わされることを特徴とするフィルタ（８１）としても構成することができる。
【００２７】
この発明によれば、流体が濾材を通過する方向における保持枠の端面に保持枠シール部を設けているので、積層したフィルタエレメントに順次流体を通過させることができる。このため、フィルタの使用方法の幅が広がり、例えば流入口側のフィルタエレメントと流出口側のフィルタエレメントとで異種の濾材を組み合わせて、ダスト、カーボン等の複数の捕捉対象を捕捉することや、単一種の濾材を組み合わせて濾過性能を向上させることができる。
【００２８】
【発明の実施の形態】
以下本発明の第１の実施形態におけるフィルタエレメントを、図面を参照しながら説明する。図１はフィルタエレメントの斜視図を示し、図２はフィルタエレメントがケース６内に収容されたフィルタ９を示す。
【００２９】
図１に示すようにフィルタエレメント３は、濾材４と濾材４を保持する矩形状の保持枠５とを備えている。
【００３０】
濾材４には通常使用される濾紙、織布、または不織布等が使用される。この濾材４は濾過面積を大きくとれるようにジグザクに折り曲げられている。濾材４は平板状の濾材をジグザグに折り曲げて形成してもよいし、また型成型により形成されてもよい。
【００３１】
濾材４を保持する保持枠５は、濾材４がケース６内で一定形状を保てるように、射出成型によって濾材４と一体に形成される。ここで保持枠５は、濾材４がインサートされた成型金型内に弾性樹脂を射出することにより、濾材４と一体に形成される。保持枠５の材質には、例えばエラストマーが用いられるが、金型に注入可能で弾性を有する樹脂であれば、ゴムとの架橋であるエラストマーに限られることがなく、すなわちゴムが含有されていなくてもよい。具体的な保持枠の材質としては、エラストマー、軟質プラスチックフォーム（ウレタンフォームなど）、ゴム、軟質ポリエチレン、軟質ポリプロピレン、軟質塩化ビニル、軟質ポリアミド、シリコンゴム、ゴムメタル、ポリ酢酸ビニル系樹脂、アイオノマー（サーリン（登録商標）Ｄｕｐｏｎｔ社製）等が挙げられる。保持枠５の形状は、濾材４の材質及び形状によって、矩形形状、多角形状、円筒状、円環状等に設定されるが、この実施形態では矩形形状に設定される。保持枠５の中央には、濾材４を２つに仕切る仕切り板７が設けられている。
【００３２】
空気等の流体が濾材４を通過する方向▲１▼における保持枠５の端面５ａには、保持枠５の周囲方向に延びる溝又は凸条からなる保持枠シール部８が保持枠５の全周に渡って設けられる。この保持枠シール部８は、射出成型によって保持枠５を形成するのと同時に保持枠５と一体に形成される。この保持枠シール部８は、流体が濾材４を通過する方向▲１▼における保持枠５の両側の端面５ａ，５ｂ（図中では上面及び下面）に設けられてもよいし、どちらか一方のみに設けられてもよい。
【００３３】
図２はケース６内にフィルタエレメント３が収容されたフィルタ９を示す。ケース６は、空気の流入口１１及び流出口１２を有し、ケース本体６ａとカバー６ｂとに２分割されている。ケース本体６ａとカバー６ｂとの間でフィルタエレメント３の保持枠５を挟んでいる。保持枠シール部８にケースに設けた後述するケースシール部が嵌合することで、ダストサイドＤとクリーンサイドＣとがシールされる。
【００３４】
この実施形態によれば、ダストサイドＤとクリーンサイドＣとをシールする保持枠シール部８を、保持枠５の周囲面５ｃ以外の端面５ａに設置している。保持枠５の周囲から外側に鍔状のシール部が張り出すことがないので、流体が通過する方向からみたフィルタエレメント３の投影面積を小さくすることができる。このため、例えば集塵量を上げるためにフィルタエレメント３にエレメントオイル（ビスカスオイル）や撥油剤、撥水剤などを塗布する場合、フィルタエレメント３の保持枠５に付着するエレメントオイル等の量を減らすことができる。樹脂材料やゴムからなる保持枠５はオイルが付着すると、膨潤により寸法変化を起こすが、フィルタエレメント３の投影面積を小さくすることで、膨潤による寸法変化を低減することができる。
【００３５】
図３及び図４は保持枠シール部８及びケースシール部１４の詳細図を示す。この図はそれぞれのシール部８，１４の長手方向と直交する断面における形状を示す。図３中（Ａ）は保持枠５に溝からなる保持枠シール部８を設け、ケース６に凸条からなるケースシール部１４を設けた例を示し、図中（Ｂ）は保持枠５に凸条からなる保持枠シール部８を設け、ケース６に溝からなるケースシール部１４を設けた例を示す。図３（Ａ）及び（Ｂ）に示すように、保持枠５には保持枠シール部８として溝が設けられてもよいし、凸条が設けられてもよい。
【００３６】
図３（Ａ）に示すように保持枠シール部８が溝からなる場合、溝の断面は溝底面８ａから上方に向かって徐々に幅が広くなるテーパに形成される。一方ケースシール部１４は溝の断面形状に合わせた形状を有し、基部から先端１４ａに向かって徐々に幅が狭くなるテーパに形成される。ケース６の凸条を保持枠５の溝に嵌合させると、ケース６のケースシール部（凸条）１４の先端１４ａが保持枠５の保持枠シール部（溝）８の底面８ａに密着し、これによりダストサイドとクリーンサイドとがシールされる。また溝の壁面８ｂと凸条の壁面１４ｂが接触することで、ケース６に対する保持枠５の位置ずれが防止される。この例のように保持枠シール部８が溝からなると、樹脂量の削減ができ、材料コストを下げることができる。
【００３７】
図３（Ｂ）に示すように、保持枠シール部８が凸条からなる場合、凸条の断面は基部から先端８ｃに向かって徐々に幅が狭くなるテーパに形成される。一方ケースシール部１４は凸条の断面形状に合わせた溝からなり、溝底面１４ｃから下方に向かって徐々に幅が広くなるテーパに形成される。ケース６のケースシール部（溝）１４を保持枠の凸条に嵌合させると、保持枠５の保持枠シール部８（凸条）の先端８ｃがケース６の溝の底面１４ｃに密着し、これによりダストサイドとクリーンサイドとがシールされる。また溝の壁面１４ｄと凸条の壁面８ｄが接触することで、ケース６に対する保持枠５の位置ずれが防止される。
【００３８】
図４は、保持枠シール部８及びケースシール部１４の他の例を示す。図４中（Ａ）は保持枠５に溝からなる保持枠シール部８を設け、ケース６に凸条からなるケースシール部１４を設けた例を示し、図中（Ｂ）は保持枠５に凸条からなる保持枠シール部８を設け、ケース６に溝からなるケースシール部１４を設けた例を示す。
【００３９】
図４（Ａ）に示すように、この例では図３（Ａ）に示した例と異なり、保持枠シール部８の溝の断面形状は、底面から中央部に向かって徐々に幅が狭くなる第１のテーパ部１６と、その中央部から端面に向かって徐々に幅が広くなる第２のテーパ部１７とを有する。一方ケースシール部１４は保持枠５の溝の断面形状に合わせた形状を有し、保持枠シール部８の溝と同様に第１のテーパ部１６と第２のテーパ部１７とを有する。この例でもケース６のケースシール部（凸条）１４の先端が保持枠５の保持枠シール部（溝）８の底面に密着し、これによりダストサイドとクリーンサイドとがシールされる。またこの例では、第１のテーパ部１６と第２のテーパ部１７を設けることにより、ケース６から保持枠５が抜けるのを防止している。
【００４０】
図４（Ｂ）の例では、図３（Ｂ）に示した例と異なり、保持枠シール部８の凸条の断面形状は、基部から中央部に向かって徐々に幅が狭くなる第１のテーパ部１６と、中央部から先端に向かって徐々に幅が広くなる第２のテーパ部１７とを有する。一方ケースシール部１４は保持枠５の凸条の断面形状に合わせた形状を有し、保持枠シール部８の凸条と同様に第１のテーパ部１６と第２のテーパ部１７とを有する。この例でも保持枠５の保持枠シール部（凸条）８の先端がケース６のケースシール部（溝）１４の底面に密着し、これによりダストサイドとクリーンサイドとがシールされる。またこの例では、第１のテーパ部１６と第２のテーパ部１７を設けることにより、ケース６から保持枠５が抜けるのを防止している。
【００４１】
図５は、本発明の第２の実施形態におけるフィルタエレメント３が、ケース６内に収容されたフィルタ５１を示す。このフィルタエレメント３も上記第１の実施形態におけるフィルタエレメント３と同様に、濾材４と濾材４を保持する保持枠５とを備えている。そして、保持枠５の端面５ａには保持枠５の周囲方向に延びる溝又は凸条からなる保持枠シール部（図示せず）が設けられている。この実施形態では、保持枠５の中央に設けられた、濾材４を２つに仕切る仕切り板７の端面７ａにも、仕切り板７に沿って延びる溝又は凸条からなる仕切り板シール部７ｂ（断面形状は図３又は図４における保持枠シール部８と同じ）が設けられている。
【００４２】
ケース６は、流入口１１及び流出口１２を有するケース本体６ａとカバー６ｂとに分割され、ケース本体６ａとカバー６ｂとの間でフィルタエレメント３の保持枠５を挟んでいる。ケース本体の内部は、隔壁部３１によって流入口１１側と流出口１２側とに区画されている。隔壁部３１には、仕切り板７の仕切り板シール部７ｂに嵌合するケースシール部３１ａが設けられている。仕切り板シール部７ｂにケースシール部３１ａが嵌合することで、ケース本体６ａの内部が流入口１１側と流出口１２側とにシールされる。この実施形態によれば、仕切り板７にも仕切り板シール部７ｂを設けることで、仕切り板７で複数に区画された濾材４，４の領域毎に、順次流体を通過させることができる。このため、例えば流入口１１側の領域の濾材４と流出口１２側の領域の濾材４とで異種の濾材を組み合わせて、ダスト、カーボン等の複数の捕捉対象を捕捉することや、単一種の濾材４，４を組み合わせて濾過性能を向上させることができる等、フィルタエレメント３の使用方法の幅が広がる。
【００４３】
図６は仕切り板７を挟むケース本体６ａと第２のカバー６ｂの他の例を示す。仕切り板７はケース本体６ａとカバー６ｂとの間に挟まれるが、ダストサイド側の濾材４を通過した空気をクリーンサイド側の濾材４に向かわせるために、通過口１９を設ける必要がある。この通過口１９は、図５に示すように仕切り板７とカバー６ｂとの間に設けられてもよいし、図６に示すようにカバー６ｂ自体に設けられてもよい。
【００４４】
図７は、本発明の第３の実施形態におけるフィルタエレメント３が、ケース６に収容されたフィルタ７１を示す。
【００４５】
この実施形態のフィルタエレメント３は、ジグザグに折り曲げられた平板状の濾材４と、濾材４を保持する略矩形状の保持枠５とを有する。保持枠５の周囲面には、その全周に渡り保持枠５の周囲方向に延びる２条の溝２１，２１が形成される。
【００４６】
図８は保持枠５及び濾材４の詳細図を示す。保持枠５の周囲面のうち、濾材の折り目の長手方向と実質的に平行な保持枠の端面５ｅには、保持枠５の周囲方向に延びる二条の溝２１，２１が形成されている。そして端面５ｅからの溝２１の深さｈ１は、端面５ｅから濾材４の折り目４ａの長手方向と直交する方向における濾材の端部４ｂまでの距離ｈ２よりも深い。
【００４７】
このように溝２１の深さｈ１を設定すると、ケース６に設けた後述するリブ２２，２２で溝２１を構成する壁部２３を挟むとき、濾材４の端部４ｂをも挟むことができる。このため、保持枠５から濾材４が抜けるのを防止でき、しかも保持枠５に保持された濾材４を安定させることができる。
【００４８】
なお本実施形態では、略矩形状の保持枠５の全周に渡り周囲方向に延びる２条の溝２１，２１が形成されているが、折り曲げられた濾材４の端部４ｂを挟むためには、溝は少なくとも濾材４の折り目４ａの長手方向と平行な保持枠５の一対の端面５ｅ，５ｅに形成されればよい。ところで、濾材４を型成型により製造するような場合、折り曲げて製造する場合と異なり、挟むことができる濾材４の端部４ｂ（すなわち折り曲げられていない端部）を濾材４の全周に渡って形成することができる。このような場合は濾材４の端部４ｂの全周を挟み込めるように、保持枠５の全周に渡り溝が形成されてもよい。また溝２１の条数は２条に限られず、１条であってもよい。
【００４９】
図７に示すように、ケース６は流入口１１及び流出口１２を有するケース本体６ａとカバー６ｂとに２分割されている。ケース本体６ａ及びカバー６ｂそれぞれには、保持枠５の２条の溝２１，２１に嵌り込む一対のリブ２２，２２が設けられる。リブ２２，２２を保持枠５に形成された溝２１，２１に嵌め込み、溝内２１，２１でリブ２２，２２をスライドさせて、ケース６内にフィルタエレメント３を装着する。
【００５０】
上記第１の実施形態のフィルタエレメント３では、図２に示すようにケース６が空気の流れる方向▲１▼と直交する方向に分割面６ｃを有し、ケース本体６ａとカバー６ｂとを組合わせることで空気の流れる方向▲１▼に保持枠５に圧縮応力を加えている。これに対して、第３の実施形態のフィルタエレメント３では、図７に示すように、ケース６が空気の流れる方向▲１▼と平行な方向に分割面６ｃを有し、ケース本体６ａ及びカバー６ｂそれぞれに設けられたリブ２２，２２により、保持枠５の溝２１，２１を構成する壁部２３を挟むことで、空気の流れる方向▲１▼に保持枠５の壁部２３に圧縮応力を加えている。
【００５１】
図９は、ケース６のリブ２２，２２に挟まれた保持枠５の壁部２３を示す。ケース６のリブ２２，２２間の距離は保持枠５の壁部２３の幅よりも若干小さく設定され、これにより保持枠５の壁部２３に圧縮応力が加わるようになっている。このように、ケース６に設けたリブ２２，２２によって保持枠５の溝２１，２１を構成する壁部２３を挟むことで、保持枠５の周囲面に鍔状に張り出したシール部を設けなくても、ダストサイドとクリーンサイドとをシールすることができる。なお、壁部２３に圧縮応力を加える方法としては、この締め代を利用した方法の他に、ケース６のリブ２２，２２に保持枠５の溝２１，２１を嵌め込んだ後、保持枠５の壁部２３に圧縮応力が加わるようにリブ２２，２２を移動させる方法も考えられる。
【００５２】
圧縮応力Ｐは２条の溝２１，２１間の壁部２３にのみ加えられ、保持枠５の溝２１，２１を構成する外側の壁部２５，２５には加えられていない。保持枠５が柔らかい材料からなる場合、シールするために保持枠５全体に圧縮応力を加えると、保持枠５が変形したり潰れたりするおそれがある。本実施形態のように、保持枠５の周囲面に溝２１，２１を形成し、ケース６に設けたリブ２２，２２で保持枠５の溝２１，２１を構成する中央の壁部２３にのみ圧縮応力Ｐを加えることで、保持枠５に圧縮応力Ｐが加わる部分を短くすることができ、この結果保持枠５が潰れたり変形したりするのを防止することができる。
【００５３】
図１０は本発明の第３の実施形態におけるフィルタエレメント３が、ケース６に収容されるフィルタ７２を示す。フィルタエレメント３の構成は上述したとおりであるから同一の符号を附してその説明を省略する。この例では、ケース本体６ａ及びカバー６ｂそれぞれに４本のリブ２２…が設けられている。そして、図１２に示すように、溝２１，２１を構成する中央の壁部２３ではなくて、溝２１，２１を構成する両側の壁部２５，２５に圧縮応力が加えられている。また図１１に示すように、濾材４の端部４ｂは圧縮応力が加わる壁部２５，２５のいずれか一方に挿入されている。この例のように構成しても、保持枠５が変形するのを防止でき、また保持枠５から濾材４が抜けるのを防止することができる。
【００５４】
図１３は本発明の第３の実施形態におけるフィルタエレメント３が、ケース６に収容されるフィルタ７３を示す。この図に示すように、ケース６には斜めにリブ２２，２２が設けられる。下側のケース本体６ａのリブにフィルタエレメント３の保持枠５を嵌め、フィルタエレメント３を斜めにスライドさせる。ケース本体６ａのリブの長さは、フィルタエレメント３の保持枠５の溝の全長よりも短く、溝の残った部分にはカバー６ｂに斜めに設けたリブ２２，２２が嵌まり込むようになっている。
【００５５】
図１４は本発明の第４の実施形態におけるフィルタエレメント３を示す。この実施形態では、保持枠５の外周面のうち、濾材４の折り目４ａの長手方向と直交する方向における保持枠５の一対の端面５ｅ，５ｅに溝２１が形成され、残りの、濾材４の折り目４ａの長手方向における端面５ｆ，５ｆにリブ２７，２７が鍔状に張り出されている。この実施形態のように溝２１は、濾材４の折り目４ａの長手方向と直交する方向における保持枠５の一対の端面５ｅ，５ｅのみに形成されてもよい。また鍔状のリブ２７，２７の高さは溝２１の高さと異なっていてもよい。
【００５６】
図１５は本発明の第５の実施形態におけるフィルタエレメント３が、ケース６に収容されるフィルタ６２を示す。このフィルタエレメント３は、上記図５に示される第２の実施形態のフィルタエレメント３と同様に、濾材を流入口１１側と流出口１２側とに区画する仕切り板７を有するが、空気が流れる方向▲１▼における仕切り板７の厚みが、第２の実施形態のフィルタエレメント３と相違している。濾材４を２つの領域に仕切る仕切り板７の端面７ａにも、仕切り板７に沿って延びる溝又は凸条からなる仕切り板シール部７ｂ（断面形状は図３又は図４における保持枠シール部８と同じ）が設けられている。保持枠５、仕切り板７の材質としては、エラストマーが好適に用いられる。
【００５７】
ケース６は、流入口１１及び流出口１２を有するケース本体６ａとカバー６ｂとに分割され、ケース本体６ａとカバー６ｂとの間でフィルタエレメント３の保持枠５を挟んでいる。ケース本体６ａの内部は、隔壁部３１によって流入口１１側と流出口１２側とに区画されている。隔壁部３１には、仕切り板７の仕切り板シール部７ｂに嵌合するケースシール部３１ａが設けられている。仕切り板シール部７ｂにケースシール部３１ａが嵌合することで、ケース本体６ａの内部が流入口１１側と流出口１２側とにシールされる。ケース６の材質としては比較的硬質な樹脂、又は金属が用いられる。
【００５８】
この実施形態によれば、仕切り板７にも仕切り板シール部７ｂを設けることで、仕切り板７で複数に区画された濾材４，４の領域毎に、順次流体を通過させることができる。例えばダストを捕捉する目的で、流入口１１側の領域の濾材４にオイルを含浸させた濾紙を用い、カーボンを捕捉する目的で流出口１２側の領域の濾材４にオイルを含浸させない濾紙を用いることもできる。
【００５９】
図１６は図１５の詳細図を示す。仕切り板７はケース本体６ａとカバー６ｂとの間に挟まれるが、ダストサイド側の濾材４を通過した空気をクリーンサイド側の濾材４に向かわせるために、カバー６ｂには通過口１９が設けられている。
【００６０】
図１７及び図１８は、本発明の第６の実施形態におけるフィルタエレメント３が、ケース６に収容されるフィルタ６３を示す。このフィルタエレメント３は、上記図１５に示される第５の実施形態のフィルタエレメント３と同様な構成を有するが、濾材４の形状が第５の実施形態のフィルタエレメント３と相違している。ケース６は、上記図１５に示されるケース６と略同様な構成を有するので同一の符号を附してその説明を省略する。
【００６１】
この実施形態では、フィルタエレメント３の濾材４，４は、ジグザグに折り曲げられると共に、空気が流れる方向に沿った断面において、空気が流れる方向の上流側の折り目４ｃを結んだ線５１、及び下流側の折り目４ｄを結んだ線５２が実質的に円弧形状に形成されている。すなわち濾材４，４は半菊花形状に形成されている。半菊花形状の濾材４，４を用いれば、濾過面積の減少による圧力損失の増加を抑制することができる。なお、濾材４、４の形状には様々な形状を用いることができ、例えば半菊花形状の濾材４と、平板状（パネル状）の濾材４とを組合わせても良い。
【００６２】
図１９は、本発明の第１の実施形態におけるフィルタエレメント３，３が、ケース６に収容されるフィルタ６４を示す。一対のフィルタエレメト３それぞれは、図１に示されるように、濾材４と、濾材４を保持する保持枠５とを有し、空気が濾材４を通過する方向▲１▼における保持枠５の端面には、保持枠５の周囲方向に延びる溝又は凸条からなる保持枠シール部８が設けられる。
【００６３】
ケース６は、流入口１１及び流出口１２を有するケース本体６ａとカバー６ｂとに分割され、ケース本体６ａとカバー６ｂとの間でフィルタエレメント３の保持枠５を挟んでいる。ケース本体６ａの内部は、隔壁部３１によって流入口１１側と流出口１２側とに区画されている。隔壁部３１には、保持枠５の保持枠シール部８に嵌合するケースシール部３１ａが設けられている。
【００６４】
一対のフィルタエレメント３，３はケース本体６ａの流入口１１側及び流出口１２側に並列に配列されている。保持枠５の保持枠シール部８にケースシール部３１ａが嵌合することで、ケース本体６ａの内部が流入口１１側と流出口１２側とにシールされる。流入口１１から流入する流体は、流入口１１側のフィルタエレメント３を通過した後、流出口１２側のフィルタエレメント３を通過し、流出口１２から流出する。
【００６５】
この実施形態でも、空気が濾材を通過する方向における保持枠５に保持枠シール部８を設けることによって、ケース本体６ａの内部を流入口側と流出口側とにシールできるので、一対のフィルタエレメント毎に順次流体を通過させることができる。このため、例えばダストを捕捉する目的で、流入口１１側のフィルタエレント３の濾材４にオイルを含浸させた濾紙を用い、カーボンを捕捉する目的で流出口１２側のフィルタエレメント３の濾材４にオイルを含浸させない濾紙を用いることもできる。
【００６６】
またこの実施形態では、フィルタエレメント３，３それぞれの濾材４，４は、ジグザグに折り曲げられると共に、それぞれの全体形状は略平板状に形成されている。そして、流入口側及び流出口側に並列に配列された一対のフィルタエレメント３，３の一方は、実質的に同一平面上に位置しないように他方に対して傾けられている。そして、一対のフィルタエレメント３，３が左右対称になるように、隔壁部３１を中心として互いに反対の方向に同じ角度傾けられている。フィルタエレメント３，３を傾けることで、濾過面積の減少による圧力損失の増加を抑制することができる。また濾過面積の減少による圧力損失の増加を抑制する方法としては、圧力損失の低い濾材４（例えばダストを捕捉する濾材）の開口面積を小さくし、圧力損失の高い濾材４（例えばカーボンを捕捉する濾材）の開口面積を大きくする方法も採用しうる。
【００６７】
図２０及び図２１は、本発明の第１の実施形態におけるフィルタエレメント３…が、ケース６に収容されるフィルタ８１を示す。複数のフィルタエレメント３…それぞれは、図１に示されるように、濾材４と、濾材４を保持する保持枠５とを有する。空気が濾材４を通過する方向▲１▼における保持枠５の端面には、保持枠５の周囲方向に延びる溝又は凸条からなる保持枠シール部８が設けられている。図２０に示すように、複数のフィルタエレメント３…は、保持枠シール部８が互いに嵌合するように重ね合わされる。これにより、複数のフィルタエレメント３…が互いにシールされ、空気が迂回することなく、すべてのフィルタエレメント３…の濾材４…を通過するようになる。
【００６８】
ケース６は、流入口１１を有するケース本体６ａと、流出口１２を有するカバー６ｂとに、空気の流れる方向▲１▼と直交する方向に分割される（図中横割りという）。ケース本体６ａとカバー６ｂとの間で重ね合わされた複数のフィルタエレメント３の保持枠５を挟んでいる。図２１に示されるように、ケース６には、重ね合わされたフィルタエレメント３…の内、空気が通過する方向の端に位置するフィルタエレメント３の保持枠シール部８に嵌合し、溝又は凸条からなるケースシール部１４が設けられる。これにより、ケース６の内部は、複数のフィルタエレメント３…によってダストサイドとクリーンサイドとにシールされている。流入口１１から流入する流体は、複数のフィルタエレメント３…すべてを通過した後、流出口１２から流出する。
【００６９】
この実施形態によれば、空気がフィルタエレメント３を通過する方向▲１▼における保持枠５の端面に保持枠シール部８を設けているので、積層したフィルタエレメント３に順次流体を通過させることができる。このため、上流側からカーボンを捕捉する目的の濾材４、ダストを捕捉するための濾材４、ガソリンべーパを捕捉するための濾材等、捕捉目的の異なる複数の濾材を組み合わせて、ダスト、カーボン、ガソリンベーパ等の複数の捕捉対象を捕捉することや、単一種の濾材を組み合わせて濾過性能をより一層向上させることができる。
【００７０】
図２２は、上記図２０に示すフィルタ８１の他の例を示す。この例では、ケース６は空気が流れる方向▲１▼に沿って２分割（図２２では縦割りという）されている。複数のフィルタエレメント３それぞれは、上記図２０に示されるフィルタエレメントと同様に、濾材４と、濾材４を保持する保持枠５とを有し、空気が濾材４を通過する方向▲１▼における保持枠５の端面には、保持枠５の周囲方向に延びる溝又は凸条からなる保持枠シール部８が設けられている。そして、複数のフィルタエレメント３…は、保持枠シール部８が互いに嵌合するように重ね合わされる。
【００７１】
この例では、ケース６は、流入口１１を有するケース本体６ａと、流出口１２を有するカバー６ｂとに、空気の流れる方向▲１▼に沿って分割される（図中横割りという）。ケース６には、フィルタエレメント３…の保持枠５の周囲に形成された溝４２に嵌合し、凸条からなるケースシール部４１が設けられる。これにより、ケース６の内部は、複数のフィルタエレメント３…によってダストサイドとクリーンサイドとにシールされる。流入口１１から流入する流体は、複数のフィルタエレメント３…すべてを通過した後、流出口１２から流出する。
【００７２】
【発明の効果】
以上説明したように、本発明によれば、流体が前記濾材を通過する方向における保持枠の端面に、保持枠の周囲方向に延びる溝又は凸条からなる保持枠シール部が設けられているので、保持枠の周囲面に鍔状に張り出したシール部を設けなくても、ダストサイドとクリーンサイドとをシールすることができる。
【図面の簡単な説明】
【図１】本発明の第１の実施形態のフィルタエレメントを示す斜視図。
【図２】上記フィルタエレメントがケースに収容されたフィルタを示す断面図。
【図３】保持枠シール部及びケースシール部の詳細図（図中（Ａ）は保持枠に溝からなる保持枠シール部を設け、ケースに凸条からなるケースシール部を設けた例を示し、図中（Ｂ）は保持枠に凸条からなる保持枠シール部を設け、ケースに溝からなるケースシール部を設けた例を示す）。
【図４】保持枠シール部及びケースシール部の他の例を示す図（図中（Ａ）は保持枠に溝からなる保持枠シール部を設け、ケースに凸条からなるケースシール部を設けた例を示し、図中（Ｂ）は保持枠に凸条からなる保持枠シール部を設け、ケースに溝からなるケースシール部を設けた例を示す）。
【図５】本発明の第２の実施形態のフィルタエレメントがケースに収容されたフィルタを示す断面図。
【図６】仕切り板を挟むケース本体とカバーの他の例を示す断面図。
【図７】本発明の第３の実施形態のフィルタエレメントがケースに収容されるフィルタを示す斜視図。
【図８】第３の実施形態のフィルタエレメントにおける保持枠及び濾材を示す詳細図。
【図９】第３の実施形態のフィルタエレメントにおけるケースのリブに挟まれた保持枠の壁部を示す図。
【図１０】本発明の第３の実施形態のフィルタエレメントがケースに収容されるフィルタを示す斜視図。
【図１１】第３の実施形態のフィルタエレメントにおける保持枠及び濾材を示す詳細図。
【図１２】第３の実施形態のフィルタエレメントにおけるケースのリブに挟まれた保持枠の壁部を示す図。
【図１３】本発明の第３の実施形態のフィルタエレメントがケースに収容されるフィルタを示す斜視図。
【図１４】本発明の第４の実施形態のフィルタエレメントを示す斜視図。
【図１５】本発明の第５の実施形態におけるフィルタエレメントがケースに収容されるフィルタを示す断面図。
【図１６】図１５のＸＶ部詳細図。
【図１７】本発明の第６の実施形態におけるフィルタエレメントが、ケースに収容されるフィルタを示す断面図。
【図１８】図１７の詳細図。
【図１９】本発明の第１の実施形態におけるフィルタエレメントが、ケースに収容されるフィルタを示す断面図。
【図２０】本発明の第１の実施形態におけるフィルタエレメントが、ケースに収容されるフィルタを示す断面図。
【図２１】上記図２０の詳細図。
【図２２】上記図２０の他の例を示す詳細図。
【図２３】従来のフィルタエレメントを示す斜視図。
【符号の説明】
３…フィルタエレメント
４…濾材
４ａ…折り目
４ｂ…濾材の端部
５…保持枠
５ａ…保持枠の端面
５ｅ…保持枠の端面
６…ケース
６ａ…ケース本体
６ｂ…カバー
７…仕切り板
７ａ…仕切り板の端面
７ｂ…仕切り板シール部
８…保持枠シール部
９，６１，６２，６３，６４，７１，７２，７３，８１…フィルタ
１１…流入口
１２…流出口
１４，３１ａ…ケースシール部
２１…溝
２２…リブ
２３，２５…壁部
３１…隔壁部
５１…上流側の折り目を結んだ線
５２…下流側の折り目を結んだ線
【図１】
2004003418.tif 000003
【図２】
2004003418.tif 000004
【図３】
2004003418.tif 000005
【図４】
2004003418.tif 000006
【図５】
2004003418.tif 000007
【図６】
2004003418.tif 000008
【図７】
2004003418.tif 000009
【図８】
2004003418.tif 000010
【図９】
2004003418.tif 000011
【図１０】
2004003418.tif 000012
【図１１】
2004003418.tif 000013
【図１２】
2004003418.tif 000014
【図１３】
2004003418.tif 000015
【図１４】
2004003418.tif 000016
【図１５】
2004003418.tif 000017
【図１６】
2004003418.tif 000018
【図１７】
2004003418.tif 000019
【図１８】
2004003418.tif 000020
【図１９】
2004003418.tif 000021
【図２０】
2004003418.tif 000022
【図２１】
2004003418.tif 000023
【図２２】
2004003418.tif 000024
【図２３】
2004003418.tif 000025